(57)【要約】【課題】傘をスマートな形態で自転車に常時携行できるようにし、取り出しや収納も簡単なものとする。【解決手段】  自転車のサドル２を支持するシートポスト３を、傘を収納する筒状体で構成する。一方、筒状のシートポスト３の上方開口を開閉できるように、サドル２をシートポスト３に回動可能に取り付ける。【選択図】図１
2007112417.tif 000002
【特許請求の範囲】
【請求項１】
シートポストの上端が露出するように、回動可能なサドルと傘を内部収納できる構造を有するシートポストを備え、サドルを乗用位置で施錠でき、シートポストが本体フレームより取り外しできない構造を有することを特徴とする収納傘盗難防止付自転車。
【請求項２】
乗用位置において、一方を側面視してサドル支持枠を受ける金具と、それを押さえる金具に一体となっている施錠装置を解除することで、もう片方の金具を中心に回動することを特徴とする請求項▲１▼記載の収納傘盗難防止付自転車。
【請求項３】
シートポストが収まる本体フレーム下部固定部を、ペダルの回転軸部からずらすことにより、下端に開口部を設け水抜き穴をあけた開閉可能な落下防止ふたを下端に設けることを特徴とする請求項▲２▼記載の収納傘盗難防止付自転車。
【請求項４】
シートポスト及びそれを支える本体フレームが、防錆機能を有し、内部から他部位に水が漏れないことを有する請求項▲３▼記載の収納傘盗難防止付自転車。
【請求項５】
シートポスト上部に傘の柄を乗せ掛けられるように、くぼみを設けることを特徴とする請求項▲４▼記載の収納傘盗難防止付自転車。
【請求項６】
まっすぐな傘の柄の収納時は落下防止対策として、シートポスト上部のくぼみを利用し、傘押さえ金具で固定することを特徴とする請求項▲５▼記載の収納傘盗難防止付自転車。
【請求項７】
シートポストクランプ固定ボルトに、前記押さえ金具が左右に移動できるようにする金具を設けることを特徴とする請求項▲６▼記載の収納傘盗難防止付自転車。
【請求項８】
本体フレームクランプに、シートポストの引き抜きを防止させる盗難防止材を通す金具を設けることを特徴とする請求項▲７▼記載の収納傘盗難防止付自転車。
【請求項９】
前記盗難防止材の上部に穴を、下部には振れ止め機能を設けることを特徴とする請求項▲８▼記載の収納傘盗難防止付自転車。
【発明の詳細な説明】
【技術分野】
【０００１】  本発明は、突然の降雨などの対処又手荷物にならないように傘を収納できるシートポストとそれを支える本体フレーム、サドルが乗用位置での施錠装置、収納傘の落下防止装置、収納傘盗難防止装置に関する。
【背景技術】
【０００２】  従来のシートポストに傘を収納するものは、サドル等を覆うための傘をシートポストに収納するために固定サドルの上部に穴をあけ、従来の傘を小さく改良加工して収納したが、本発明はサドルを回動させシートポストとそれを支える本体フレーム内部に、人が実用的に使用する傘が収納できる適切な大きさにし、シートポスト上端開口部から出し入れできるものである。【０００３】  従来のサドル回動装置及び盗難防止装置は、機能目的が違うため、構造上シートポスト内に傘を収納できなかったり、自転車本体の盗難防止であったが、本発明の構造及び使用目的は傘を内部に収納でき、押さえ金具と一体となった施錠装置で、サドル乗用位置での傘の盗難防止を目的としたものである。【０００４】
【特許文献１】特開２００４−２８４５６８号公報
【特許文献２】特開２００３−４８５８０号公報
【特許文献３】特開２００１−１０６１３７号公報
【特許文献４】特開２０００−１４２５１５号公報
【発明の開示】
【発明が解決しようとする課題】
【０００５】  従来の自転車の使用用途は、人の移動、荷物等の運搬であり、突然の降雨などに対処するための傘の収納機能はなかった。本発明はこの課題を解消するためになされたものである。
【課題を解決するための手段】
【０００６】  サドル支持枠の受け金具▲６▼と押さえ金具▲５▼の施錠の解除により、サドルを回動させ、シートポスト▲３▼とそれを支える本体フレーム▲４▼の内径を傘が入る適切な大きさにすることで、シートポスト上端の開口部より傘を出し入れでき、サドル▲２▼を元に戻すことによって常時傘を内部収納できるようにした。【０００７】  上記シートポストとそれを支える本体フレームに防錆処理をして、傘が落下しないようにシートポストクランプ固定ボルト▲１２▼に傘の押さえ金具▲１３▼を左右に移動できる金具▲１０▼に固定させ、本体フレーム下端に雨水に対処するように穴▲１１▼をあけた落下防止ふたを設けるようにした。【０００８】  上記シートポストに傘の押さえ金具▲１３▼が機能できるくぼみ▲１４▼を設け、その押さえ金具と連結しシートポストと本体フレームを引き抜けないようにする盗難防止材▲１６▼を通す金具▲９▼を本体フレームクランプに設けるようにした。【０００９】  上記盗難防止材の上部に押さえ金具のボルト▲１３▼を通す穴（１６ａ）と下部には磁石（１６ｂ）を設け本体フレームに付け、振れ止めとするようにした。
【発明の効果】
【００１０】  従来の自転車の構造及び使用目的では、傘を内部収納できなかったが、シートポストとそれを支える本体フレーム内部に常時傘を収納することで、自転車使用時に天候を気にせず又雨宿りなどの時間のロスがなくなり、かつ収納できることで手荷物にもならず、傘の盗難防止も備え、従来の傘固定装置よりも外観も良くなった。
【発明を実施するための最良の形態】
【００１１】  サドル支持枠▲１▼の受け金具▲６▼と押さえ金具と一体となっている施錠装置▲５▼を設けそれを解除することでサドル支持枠の固定が片方開放され、サドルを回動してシートポスト▲３▼上端が露出するようにする。【００１２】  前記シートポスト▲３▼の内径は傘が入る大きさの範囲３２〜４２ミリが好ましい。【００１３】  前記シートポストと本体フレームに防錆コーティング等を施し、本体フレーム下端をペダルの回転軸部▲１８▼の前又は後ろにずらして、開口部を設け水抜き穴▲１１▼をあけた開閉可能なふた▲１０▼を設けるようにする。【００１４】  シートポストクランプ固定ボルトに傘の落下を防ぐための押さえ金具▲１３▼を左右に移動もできる金具▲１７▼を用い、シートポスト上部くぼみ▲１４▼部から傘を押さえるようにする。【００１５】  本体フレームクランプ▲８▼に設けた金具▲９▼に盗難防止材▲１６▼の穴（１６ａ）のあいた上部を金具の下方から上方へ通し、その穴に押さえ金具のボルト▲１３▼を通し一体化させ、シートポストを引き抜きできないようにする。又シートポストの上下調整後に盗難防止材の磁石（１６ｂ）を内蔵している下部を本体フレームに付け、振れ止めとする。
【図面の簡単な説明】
【００１６】
【図１】本発明の自転車の本体側面図である。
【図２】本発明のサドル部の平面図である。
【図３】本発明のサドル支持枠受け・押さえ金具・傘押さえ金具・盗難防止材金具の要部斜視図である。
【図４】サドル回動支持部図である。
【符号の説明】
【００１７】１サドル支持枠
２サドル
３シートポスト
４本体フレーム
５サドル支持枠押さえ金具兼鍵
６サドル支持枠受け金具
７シートポストクランプ
８本体フレームクランプ
９盗難防止材を通す金具
１０落下防止ふた
１１水抜き穴
１２シートポストクランプ固定ボルト
１３傘押さえ金具
１４くぼみ
１５サドル支持枠金具の受けと押さえの連結ばね
１６盗難防止材（１６ａ）押さえ金具の通し穴
（１６ｂ）磁石
１７移動金具
１８ペダル回転軸部
【図１】
2007112417.tif 000003
【図２】
2007112417.tif 000004
【図３】
2007112417.tif 000005
【図４】
2007112417.tif 000006
【手続補正書】
【提出日】平成18年8月17日(2006.8.17)
【手続補正１】
【補正対象書類名】特許請求の範囲
【補正対象項目名】全文
【補正方法】変更
【補正の内容】
【特許請求の範囲】
【請求項１】
自転車のサドルを支持するシートポストを、傘を収納する筒状体で構成し、
当該筒状のシートポストの上方開口を開閉できるように、サドルをシートポストに回動可能に取り付けたことを特徴とする、自転車。
【請求項２】
上記シートポストを受け入れる自転車の本体フレームに、挿通穴を有する部材を固定するとともに、
シートポストには、下方に延在する細長い盗難防止材を固定し、
当該細長い盗難防止材は、上記挿通穴に通されていて、当該挿通穴を通過できない屈曲部を下端に有することを特徴とする、請求項１記載の自転車。
【請求項３】
上記シートポストを受け入れる自転車の本体フレームの下端開口を、水抜き穴を有する落下防止ふたで塞いだことを特徴とする、請求項１記載の自転車。
【請求項４】
上記シートポストおよび本体フレームに防錆コーティングを施したことを特徴とする、請求項２記載の自転車。
【請求項５】
上記シートポストにシートポストクランプを固定する固定ボルトのボルト軸に、同ボルト軸に沿って移動可能な可動部材を挿通するとともに、
シートポスト上部に、くぼみ部を設け、
シートポスト内に収納された傘を、当該くぼみ部を通して押さえる押さえ具を、上記可動部材に設けたことを特徴とする、請求項１記載の自転車。
【請求項６】
上記盗難防止材の屈曲部に磁石を設けたことを特徴とする、請求項２記載の自転車。
【手続補正２】
【補正対象書類名】明細書
【補正対象項目名】全文
【補正方法】変更
【補正の内容】
【発明の詳細な説明】
【技術分野】
【０００１】
本発明は、突然の降雨などの対処又手荷物にならないように傘を収納できるシートポストとそれを支える本体フレーム、サドルが乗用位置での施錠装置、収納傘の落下防止装置、収納傘盗難防止装置に関する。
【背景技術】
【０００２】
従来のシートポストに傘を収納するものは、サドル等を覆うための傘をシートポストに収納するために固定サドルの上部に穴をあけ、従来の傘を小さく改良加工して収納したが、本発明はサドルを回動させシートポストとそれを支える本体フレーム内部に、人が実用的に使用する傘が収納できる適切な大きさにし、シートポスト上端開口部から出し入れできるものである。
【０００３】
従来のサドル回動装置及び盗難防止装置は、機能目的が違うため、構造上シートポスト内に傘を収納できなかったり、自転車本体の盗難防止であったが、本発明の構造及び使用目的は傘を内部に収納でき、押さえ金具と一体となった施錠装置で、サドル乗用位置での傘の盗難防止を目的としたものである。
【０００４】
【特許文献１】特開2004-284568号公報
【特許文献２】特開2003-48580号公報
【特許文献３】特開2001-106137号公報
【特許文献４】特開2000-142515号公報
【発明の開示】
【発明が解決しようとする課題】
【０００５】
従来の自転車の使用用途は、人の移動、荷物等の運搬であり、突然の降雨などに対処するための傘の収納機能はなかった。本発明はこの課題を解消するためになされたものである。
【課題を解決するための手段】
【０００６】
サドル支持枠の受け金具６と押さえ金具５の施錠の解除により、サドルを回動させ、シートポスト３とそれを支える本体フレーム４の内径を傘が入る適切な大きさにすることで、シートポスト上端の開口部より傘を出し入れでき、サドル２を元に戻すことによって常時傘を内部収納できるようにした。
【０００７】
上記シートポストとそれを支える本体フレームに防錆処理をして、傘が落下しないようにシートポストクランプ固定ボルト１２に傘の押さえ金具１３を左右に移動できる金具１７に固定させ、本体フレーム下端に雨水に対処するように穴１１をあけた落下防止ふたを設けるようにした。
【０００８】
上記シートポストに傘の押さえ金具１３が機能できるくぼみ１４を設け、その押さえ金具と連結しシートポストと本体フレームを引き抜けないようにする盗難防止材１６を通す金具９を本体フレームクランプ８に設けるようにした。
【０００９】
上記盗難防止材の上部に、押さえ金具のボルト１３を通す穴１６ａを設け、下部には磁石１６ｂを設けて、本体フレームに磁力で固定し、振れ止めとするようにした。
【発明の効果】
【００１０】
従来の自転車の構造及び使用目的では、傘を内部収納できなかったが、シートポストとそれを支える本体フレーム内部に常時傘を収納することで、自転車使用時に天候を気にせず又雨宿りなどの時間のロスがなくなり、かつ収納できることで手荷物にもならず、傘の盗難防止も備え、従来の傘固定装置よりも外観も良くなった。
【発明を実施するための最良の形態】
【００１１】
サドル支持枠１の受け金具６と押さえ金具５とを含む施錠装置を設け、それを解除することでサドル支持枠の固定が片方開放され、サドルを回動してシートポスト３上端が露出するようにする。
【００１２】
前記シートポスト３の内径は傘が入る大きさの範囲32〜42ミリが好ましい。
【００１３】
前記シートポストと本体フレームに防錆コーティング等を施し、本体フレーム下端をペダルの回転軸部１８の前又は後ろにずらして、開口部を設け水抜き穴１１をあけた開閉可能なふた１０を設けるようにする。
【００１４】
シートポストクランプ固定ボルト１２に、左右に移動できる金具１７を挿通し、この金具１７に押さえ金具１３を取り付ける。押さえ金具１３は、シートポスト上部くぼみ１４部から傘を押さえて、傘の落下を防ぐ。
【００１５】
本体フレームクランプ８に設けた金具９に盗難防止材１６の穴１６ａのあいた上部を金具の下方から上方へ通し、その穴に押さえ金具のボルト１３を通し一体化させ、シートポストを引き抜きできないようにする。又シートポストの上下調整後に盗難防止材の磁石１６ｂを内蔵している下部を本体フレームに磁力で固定し、振れ止めとする。
【図面の簡単な説明】
【００１６】
【図１】本発明の自転車の本体側面図である。
【図２】本発明のサドル部の平面図である。
【図３】本発明のサドル支持枠受け・押さえ金具・傘押さえ金具・盗難防止材金具の要部斜視図である。
【図４】サドル回動支持部図である。
【符号の説明】
【００１７】
１  サドル支持枠
２  サドル
３  シートポスト
４  本体フレーム
５  サドル支持枠押さえ金具（施錠装置を兼ねる）
６  サドル支持枠受け金具（施錠装置を兼ねる）
７  シートポストクランプ
８  本体フレームクランプ
９  盗難防止材を通す金具
１０  落下防止ふた
１１  水抜き穴
１２  シートポストクランプ固定ボルト
１３  傘押さえ金具
１４  くぼみ
１５  サドル支持枠金具の受けと押さえの連結ばね
１６  盗難防止材
１６ａ  押さえ金具の通し穴
１６ｂ  磁石
１７  移動金具
１８  ペダル回転軸部